(57)【要約】【課題】二穴式風呂釜を有する浴槽の排水口及び風呂釜給排水口に形状の恒久的な変更を加えずに装置を設置して、浴槽内の水中の排水の位置と方向を制御して、風呂釜内のゴミを除去及び付着しにくくすること。【解決手段】通常水流の勢いが殆どなく、水垢などが溜まりやすい二穴式風呂釜を有する浴槽の排水口と風呂釜の一方の給排水口を、浴槽に水を張った状態で水中で動的にバイパスすることにより、浴槽の排水時に風呂釜内に水流を生じさせる。【選択図】図１
0003130896.tif 000002
【実用新案登録請求の範囲】
【請求項１】
清掃しようとする二穴式風呂釜を有する浴槽の排水口を塞ぐためのドーナッツ型パッキング、その開口部を通してホースを接続するための凸起用かなぐ、その両者を固定するための硬質板、更にこの板を一時的に、強力に固定するための平面吸盤と吸盤を変形させて形を保つためのレバーとドームからなる排水口形状変換器部と、ホースのもう片方に排水側と同様に出水口の凸面に合わせて接合部が上下してこれを塞ぐ段違い給排水口変換器を備えた、水中の排水をバイパスすることにより二穴式で湯を沸かす風呂釜内に水流を生成し風呂釜を掃除し、水垢が留まることを防ぐ器具。
【考案の詳細な説明】
【技術分野】
【０００１】
本考案は、排水を利用した水中の二穴式風呂釜の清掃用器具に関するものである。
【背景技術】
【０００２】
二穴式で湯を沸かす風呂釜内のごみを除去するためには、浴槽に水が溜まった状態で大型のスポイトのような器具を使って水流を送り込むか、排水後に一方の穴からホースなどで水を注入している。
【０００３】
しかし、現存の技術では、送り込む水量に限界が有ったり、水道水の無駄が出たり、日常的に実施するには手間がかかるなどの問題が有る。
【特許文献１】実用出願２００６−０００６４３
【考案の開示】
【考案が解決しようとする課題】
【０００４】
解決しようとする問題は、風呂釜内のゴミを除去するとき、風呂釜に注入する水量が清掃器具の蓄積容量や経済的問題で制約を受け、既存の方法では恒常的に実行することが困難である点である。
【課題を解決するための手段】
【０００５】
本考案は、器具を浴槽の排水口と二穴式風呂釜の一方の給排水口に装着するだけで、風呂釜の給排水口の水位までの浴槽の排水の度に風呂釜内の清掃が出来ることを最も主要な特徴とする。
【考案の効果】
【０００６】
本考案の風呂釜清掃器具は、従来の浴槽の排水口や二穴式風呂釜の給排水口の形状を変えることなく、ゴミを除去するための水の排水量を、従来の手法にくらべて多くでき、定期的にではなく排水の度に恒常的に実行でき、又、恒常的に実行すれば風呂釜内に水垢がつきにくくなるという利点がある。
【考案を実施するための最良の形態】
【０００７】
二穴式風呂釜内の水垢などを排除する目的を、無動力で、清掃のための水を蛇口から加えることもなく、水中の排水をバイパスして風呂釜内に水流を発生させることで実現した。
【実施例１】
【０００８】
図１は、本考案装置の全体図であって、１〜８は、排水口にホースを動的に固定する為の排水口形状変換器。また、９は可撓性を有するゴム材又は合成樹脂材によるホース。１０〜１８は二穴式風呂釜の一方の給排水口を塞ぐため、又、突起になっている給排水口の高さに自動的に合わせる伸縮体を備えた段違い給排水口変換器。図２は、排水口形状変換器の上方からの斜視図、図３は排水口形状変換器の下方からの斜視図、図４は段違い給排水口変換器の上方からの斜視図、図５は段違い給排水口変換器の下方からの斜視図、図６は排水口形状変換器の断面図、そして図７は段違い給排水口変換器の断面図および伸縮体をバネにした場合の断面図である。
【０００９】
図において、排水口形状変換器は、２箇所に穴の空いた硬質材料からなる本体硬質板（１）と、穴の１つにホース取り付け口かなぐ（２）を固定してこれにホースをつなぎ、ドーナッツ型パッキング（４）を本体底面に密着させ、もう片方の穴の上にドーム部（３）を配し、その中心に設けた穴に下方から平面吸盤（７）を引き上げるための引き上げかなぐ（８）を通し、このかなぐにカムの原理を応用した引き上げレバー（５）を軸（６）で接続している。
【００１０】
段違い給排水口変換器は、排水側と同様、２箇所に穴の空いた硬質材料からなり、給排水口の接触部分が吸盤部分より設置時に高位置になるような本体硬質板（１０）と、穴の１つにホース取り付け口かなぐ（１１）を伸縮体としてのドーナツ型スポンジ（１８）又はその円の大きさがホース取り付け口かなぐ（１１）の筒の部分より大きく、底面より小さい押しバネ（１９）をはさむ形で通し、これにホースをつなぎ、ドーナッツ型パッキング（１２）をホース取り付け口かなぐの底面に密着させ、もう片方の穴の上にドーム部（１５）を配し、その中心に設けた円形の穴に下方から平面吸盤（１７）を引き上げるための引き上げかなぐ（１６）を通し、このかなぐにカムの原理を応用した引き上げレバー（１３）を軸（１４）で接続している。
【００１１】
実施にあたって、まず浴槽の水位が風呂釜の給排水口より上であることを確認し、段違い給排水口変換器及び排水口変換器のレバーを立てて吸盤を平坦にした上で器具全体を水中に沈める。二穴式風呂釜の排水に使用する側の給排水口を段違い給排水口変換器のパッキングで塞ぐ形で装置を位置づけたら段違い給排水口変換器のレバーを倒して平面吸盤にくぼみを生じさせ、その吸引力で段違い給排水口変換器を給排水口に固定する。排水口付近の吸盤を密着させるべき個所のゴミをよけた上で排水口の栓を抜き、速やかに排水口形状変換器のドーナッツ型パッキング部分にて排水口を塞ぎ、レバーを倒して平面吸盤にくぼみを生じさせ、その吸引力で排水口形状変換器を排水口に固定する。浴槽の水位が風呂釜の給水側の給排水口を下回り風呂釜内に水流が止まった後、排水口変換器及び段違い給排水口変換器のレバーを立てて排水口及び風呂釜の給排水口から装置をはずし、装置を水中から取り出して作業完了。
【産業上の利用可能性】
【００１２】
二穴式風呂釜清掃時の人的労力及び水資源の節約。
【図面の簡単な説明】
【００１３】
【図１】風呂釜清掃器具全体を示した上方斜視図である。
【図２】排水口変換器の上方斜視図である。
【図３】排水口変換器の下方斜視図である。
【図４】段違い給排水口変換器の上方斜視図である。
【図５】段違い給排水口変換器の下方斜視図である。
【図６】排水口変換器の断面図である。
【図７】段違い給排水口変換器の断面図である。
【符号の説明】
【００１４】
１    排水口変換機本体硬質板
２    排水側ホース取り付けかなぐ
３    排水側ドーム部
４    排水側ドーナッツ型平面パッキング
５    排水側吸盤引き上げレバー
６    排水側吸盤引き上げレバー固定軸
７    排水側平面吸盤
８    排水側吸盤引き上げかなぐ
９    ホース
１０  段違い給排水口変換器本体硬質板
１１  吸水側ホース取り付けかなぐ
１２  吸水側ドーナッツ型平面パッキング
１３  吸水側吸盤引き上げレバー
１４  吸水側吸盤引き上げレバー固定軸
１５  吸水側ドーム部
１６  吸水側吸盤引き上げかなぐ
１７  吸水側平面吸盤
１８  ドーナツ型スポンジ
１９  押しバネ
【図１】
0003130896.tif 000003
【図２】
0003130896.tif 000004
【図３】
0003130896.tif 000005
【図４】
0003130896.tif 000006
【図５】
0003130896.tif 000007
【図６】
0003130896.tif 000008
【図７】
0003130896.tif 000009